(57)【要約】【課題】  放出口から放出される排ワラを既刈り側に案内しながらも、その排ワラが圃場外の道路などに飛散する不都合を抑制する。【解決手段】  細断した排ワラを機外に放出する放出口３２と、その放出口３２からの排ワラを既刈り側に案内する放出ガイド３３とを備えたコンバインの排ワラ放出構造において、放出ガイド３３に、この放出ガイド３３に沿って流動する排ワラに流動抵抗を与える抵抗体３６を装備した。【選択図】        図６
2005095049.tif 000002
【特許請求の範囲】
【請求項１】
細断した排ワラを機外に放出する放出口と、その放出口からの排ワラを既刈り側に案内する放出ガイドとを備えたコンバインの排ワラ放出構造であって、
前記放出ガイドに、この放出ガイドに沿って流動する排ワラに流動抵抗を与える抵抗体を装備してあるコンバインの排ワラ放出構造。
【請求項２】
前記抵抗体を、前記放出ガイドの案内経路を全域にわたって遮る状態に装備してある請求項１に記載のコンバインの排ワラ放出構造。
【請求項３】
前記抵抗体を、前記放出ガイドの案内経路を部分的に遮る状態に装備してある請求項１に記載のコンバインの排ワラ放出構造。
【請求項４】
前記抵抗体を、その各部分によって前記排ワラに与える流動抵抗が異なるように形成してある請求項１〜３のいずれか一つに記載のコンバインの排ワラ放出構造。
【発明の詳細な説明】
【技術分野】
【０００１】
本発明は、細断した排ワラを機外に放出する放出口と、その放出口からの排ワラを既刈り側に案内する放出ガイドとを備えたコンバインの排ワラ放出構造に関する。
【背景技術】
【０００２】
上記のようなコンバインの排ワラ放出構造においては、放出ガイドとして側面視で略コの字状に屈曲させたものを採用するようにしていた（例えば特許文献１参照）。
【特許文献１】特開２００３−７９２２９号公報（段落番号００３５、図３、図４、図６〜８）
【発明の開示】
【発明が解決しようとする課題】
【０００３】
上記の構成によると、コンバインによる作業を、排ワラの飛散を抑制することが望ましい道路脇などで行った場合に、放出ガイドの案内作用によって、放出口から放出される排ワラが、圃場外の道路などに飛散する不都合を招くことがあった。
【０００４】
本発明の目的は、放出口から放出される排ワラを既刈り側に案内しながらも、その排ワラが圃場外の道路などに飛散する不都合を抑制することにある。
【課題を解決するための手段】
【０００５】
上記の課題を解決するための手段として、本発明では、細断した排ワラを機外に放出する放出口と、その放出口からの排ワラを既刈り側に案内する放出ガイドとを備えたコンバインの排ワラ放出構造において、前記放出ガイドに、この放出ガイドに沿って流動する排ワラに流動抵抗を与える抵抗体を装備してある。
【０００６】
この構成によると、抵抗体によって、放出ガイドに沿って既刈り側に向けて流動する排ワラの流速が低下し、排ワラの飛散距離が短くなる。
【０００７】
従って、放出口から放出される排ワラを既刈り側に案内しながらも、排ワラの飛散を抑制することが望ましい道路脇などでの作業時に、その排ワラが圃場外の道路などに飛散する不都合を抑制できる。
【０００８】
本発明をより好適なものにするための手段の一つとして、前記抵抗体を、前記放出ガイドの案内経路を全域にわたって遮る状態に装備してある。
【０００９】
この構成によると、抵抗体によって、放出ガイドに沿って既刈り側に向けて流動する全ての排ワラの流速が低下し、全ての排ワラの飛散距離が短くなる。
【００１０】
従って、排ワラの飛散を抑制することが望ましい道路脇などでの作業時に、放出口から放出される排ワラが圃場外の道路などに飛散する不都合をより確実に抑制できる。
【００１１】
本発明をより好適なものにするための手段の一つとして、前記抵抗体を、前記放出ガイドの案内経路を部分的に遮る状態に装備してある。
【００１２】
この構成によると、抵抗体によって、放出ガイドに沿って既刈り側に向けて流動する排ワラの一部の流速が低下し、一部の排ワラの飛散距離が短くなる。
【００１３】
ところで、抵抗体を、放出ガイドの案内経路を全域にわたって遮る状態に装備すると、圃場において、排ワラが機体の走行方向に沿って筋状に堆積して、その後のすき込み作業の際に障害になる場合がある。
【００１４】
そこで、この構成では、排ワラの一部の飛散距離を短くすることで、排ワラが機体の走行方向に沿って筋状に堆積することを抑制している。
【００１５】
従って、排ワラの飛散を抑制することが望ましい道路脇などでの作業時に、放出口から放出される排ワラが圃場外の道路などに飛散する不都合を抑制しながら、その後のすき込み作業の際に排ワラが障害になる虞を抑制できる。
【００１６】
本発明をより好適なものにするための手段の一つとして、前記抵抗体を、その各部分によって前記排ワラに与える流動抵抗が異なるように形成してある。
【００１７】
この構成によると、抵抗体の各部分によって、放出ガイドに沿って既刈り側に向けて流動する排ワラの流速が流動域ごとに異なる状態で低下し、排ワラの飛散距離が流動域ごとに異なる状態で短くなる。
【００１８】
従って、排ワラの飛散を抑制することが望ましい道路脇などでの作業時に、放出口から放出される排ワラが圃場外の道路などに飛散する不都合を抑制できる上に、排ワラを圃場内の既刈り側においてより広範囲に拡散させることができて、その後のすき込み作業の際に排ワラが障害になる虞をより効果的に抑制できる。
【発明を実施するための最良の形態】
【００１９】
図１には自脱形コンバインの全体側面が、図２にはその全体平面がそれぞれ示されており、このコンバインは、左右一対のクローラ式走行装置１を備えた走行機体２の前部左側に、２条用の刈取搬送装置３を昇降揺動可能に連結し、走行機体２の前部右側に操縦塔４や運転座席５などを備える搭乗運転部６を形成し、走行機体２における刈取搬送装置３と搭乗運転部６の直後方箇所に、刈取搬送装置３からの刈取穀稈に対して脱穀処理や選別処理などを施す脱穀装置７を搭載し、走行機体２における脱穀装置７の左後方箇所に、脱穀装置７からの排ワラを細断処理する細断装置８を配備し、走行機体２における脱穀装置７の右後方箇所に、脱穀装置７から揚送コンベヤ９を介して搬送される穀粒を左右の籾袋１０に詰め込む袋詰め装置１１を装備して構成されている。
【００２０】
刈取搬送装置３は、機体の走行に伴って、その先端部に配備された３つのデバイダ１２が収穫対象となる２条分の倒伏穀稈や植立穀稈のすくい上げや分草を行い、そのすくい上げや分草後の植立穀稈を左右の引起機構１３によってすき起こし、すき起こされた植立穀稈の株元側をバリカン形の刈取機構１４で切断し、その切断後の刈取穀稈を、搬送機構１５によって寄せ集めるとともに上下向き姿勢から左右向き姿勢に姿勢変更しながら、後方の脱穀装置７に向けて搬送するように構成されている。
【００２１】
図１〜３に示すように、脱穀装置７は、その左側部に配備されたフィードチェーン１６が、搬送機構１５で搬送された刈取穀稈の株元側を挟持して後方に向けて搬送し、その搬送で受網１７上に案内された刈取穀稈の穂先側に対して扱胴１８が脱穀処理を施し、その脱穀処理で得られた処理物に対して、唐箕１９で生起した選別風による風選別処理や、揺動選別機構２０の揺動による篩い選別処理を施し、それらの選別処理によって揺動選別機構２０の選別方向上手側から漏下する単粒化穀粒は、単粒化穀粒回収用の１番スクリュー２１によって揚送コンベヤ９に向けて搬送し、揺動選別機構２０の選別方向下手側から漏下する未単粒化穀粒や切れワラなどの混在物は、混在物回収用の２番スクリュー２２によってスロワ式の２番還元機構２３に向けて搬送するとともに、その２番還元機構２３を介して受網１７上に還元することで再処理し、揺動選別機構２０から漏下せずに揺動選別機構２０の選別方向終端部まで搬送された切れワラやワラ屑などの塵埃は、脱穀装置７の右側端部に形成した排塵口２４から既刈り側の機外に排出するように構成されている。
【００２２】
フィードチェーン１６は、細断装置８の前部上方まで延設され、脱穀処理後の排ワラを細断装置８の前部上方まで搬送するように構成されている。
【００２３】
図４〜７に示すように、細断装置８には所謂シリンダカッタが採用され、このシリンダカッタは、フィードチェーン１６の後端部下方に配備された第１回転ロール２５に出退可能に装備された係合ピン２６が、第１回転ロール２５との一体回転に伴って、フィードチェーン１６で搬送された左右向き姿勢の排ワラを、その左右中間部に係合して松葉状の二つ折りにしながら、第１回転ロール２５と、その後方に近接配備された第２回転ロール２７との間に掻き込み供給し、それら第１回転ロール２５と第２回転ロール２７とで、それらの下方に配備された固定刃２８と回転刃２９との間に送り込み、その回転刃２９の回転力で、排ワラの屈折端から順に細断するとともに、細断後の排ワラを、そのケーシング３０の下部に配備した排ワラガイド３１の後端部に形成した放出口３２から機外に放出するように構成されている。
【００２４】
細断装置８の後下部には、放出口３２からの排ワラを既刈り側に案内する放出ガイド３３が、放出口３２の左側方に立設された上下向きの支軸３４を介してその軸心周りに前後揺動可能に装備されている。放出ガイド３３は、側面視で略コの字状となるように屈曲形成された板金製で、支軸３４に外嵌装備されたねじりバネ３５の付勢で、放出口３２を閉塞する左右向きの閉じ姿勢に復帰保持され、放出口３２から放出される排ワラによって、ねじりバネ３５の付勢に抗して、放出口３２を開放するとともに放出口３２からの排ワラを既刈り側に案内する右斜め後方向きの開き姿勢に揺動操作される。つまり、放出ガイド３３は、放出口３２を開閉する開閉体に兼用されている。
【００２５】
放出ガイド３３における排ワラ案内方向下手側の端部には、この放出ガイド３３に沿って流動する排ワラに流動抵抗を与える抵抗体３６が、放出ガイド３３の案内経路３７における下部側領域を遮る状態に一体形成されている。
【００２６】
尚、この抵抗体３６は、細断装置８による細断後の排ワラ放出を回転刃２９の回転力で行うことで、放出ガイド３３の案内経路３７のうち、回転刃２９の回転軌跡に対する接線上に位置する下部側領域を流動する排ワラ量が多くなり、かつ、その下部側領域での排ワラの流速が速くなることを考慮して、放出ガイド３３の案内経路３７における下部側領域を遮る状態に形成されているのであり、この抵抗体３６の作用によって、放出ガイド３３の下部側領域に沿って流動する流量が多く流速の速い排ワラの流速が低下し、飛散距離が短くなる。
【００２７】
つまり、上記のように抵抗体３６を設けることで、放出ガイド３３の下部側領域を流動する排ワラの飛散を抑制でき、これによって、放出ガイド３３で案内される全ての排ワラが抵抗体３６による流動抵抗を受けることなく飛散する場合に比較して、排ワラの飛散を抑制することが望ましい道路脇などでの作業時において、放出ガイド３３で案内された排ワラが道路などに飛散する不都合を効果的に抑制できる。又、放出ガイド３３で案内される全ての排ワラに抵抗体３６による流動抵抗を均一に受けさせる場合に比較して、放出ガイド３３の下部側領域を流動する排ワラと上部側領域を流動する排ワラとの飛散距離を異ならせることができ、排ワラを圃場の既刈り側において広範囲に拡散させることができるので、放出ガイド３３で案内された排ワラが、圃場において部分的に堆積して、その後のすき込み作業の際に障害になる虞を抑制できる。
【００２８】
〔別実施例〕
以下、本発明の別実施例を列記する。
【００２９】
〔１〕放出ガイド３３における抵抗体３６の形成箇所としては種々の変更が可能であり、例えば、排ワラ案内方向の中間部などに抵抗体３６を形成するようにしてもよい。
【００３０】
〔２〕抵抗体３６を、放出ガイド３３の案内経路３７における上部側領域を遮る状態に一体形成することで、排ワラの飛散を抑制することが望ましい道路脇などでの作業時において、放出ガイド３３で案内された排ワラが道路などに飛散する不都合を抑制し、かつ、放出ガイド３３で案内された排ワラが、圃場において部分的に堆積して、その後のすき込み作業の際に障害になる虞を抑制するようにしてもよい。
【００３１】
〔３〕抵抗体３６を、放出ガイド３３の案内経路３７を全域にわたって遮る状態に形成して、排ワラの飛散を抑制することが望ましい道路脇などでの作業時において、放出ガイド３３で案内された排ワラが道路などに飛散する不都合をより確実に抑制するようにしてもよい。
【００３２】
〔４〕図８に示すように、抵抗体３６を、その上部側ほど放出ガイド３３に沿って流動する排ワラに与える流動抵抗が小さくなる上窄まりの三角形状に形成してもよい。この構成では、抵抗体３６によって、放出ガイド３３に沿って流動する排ワラのうち、下部側の流動域を流動するものほど、流速が低下し飛散距離が短くなる。つまり、排ワラの飛散を抑制することが望ましい道路脇などでの作業時において、放出ガイド３３で案内された排ワラが道路などに飛散する不都合をより効果的に抑制でき、又、排ワラを圃場内の既刈り側においてより広範囲に拡散させることができて、その後のすき込み作業の際に排ワラが障害になる虞をより効果的に抑制できる。
【００３３】
尚、図８においては、上窄まり三角形状の抵抗体３６を、放出ガイド３３の案内経路３７を全域にわたって遮る状態に設けたものを例示したが、上窄まり三角形状の抵抗体３６を、放出ガイド３３の案内経路３７を部分的に遮る状態に設けてもよい。
【００３４】
〔５〕抵抗体３６を、その上部側ほど放出ガイド３３に沿って流動する排ワラに与える流動抵抗が大きくなる下窄まりの三角形状に形成してもよい。この構成では、抵抗体３６によって、放出ガイド３３に沿って流動する排ワラのうち、上部側の流動域を流動するものほど、流速が低下し飛散距離が短くなる。つまり、排ワラの飛散を抑制することが望ましい道路脇などでの作業時において、放出ガイド３３で案内された排ワラが道路などに飛散する不都合をより効果的に抑制でき、又、排ワラを圃場内の既刈り側においてより広範囲に拡散させることができて、その後のすき込み作業の際に排ワラが障害になる虞をより効果的に抑制できる。
【００３５】
〔６〕図９に示すように、抵抗体３６を、その上部側ほど放出ガイド３３に沿って流動する排ワラに与える流動抵抗が小さくなる状態に屈曲（あるいは湾曲）させるようにしてもよい。この構成では、抵抗体３６によって、放出ガイド３３に沿って流動する排ワラのうち、下部側の流動域を流動するものほど、流速が低下し飛散距離が短くなる。つまり、排ワラの飛散を抑制することが望ましい道路脇などでの作業時において、放出ガイド３３で案内された排ワラが道路などに飛散する不都合をより効果的に抑制でき、又、排ワラを圃場内の既刈り側においてより広範囲に拡散させることができて、その後のすき込み作業の際に排ワラが障害になる虞をより効果的に抑制できる。
【００３６】
尚、図９においては、屈曲させた抵抗体３６を、放出ガイド３３の案内経路３７を全域にわたって遮る状態に設けたものを例示したが、屈曲させた抵抗体３６を、放出ガイド３３の案内経路３７を部分的に遮る状態に設けてもよい。
【００３７】
〔７〕抵抗体３６を、その下部側ほど放出ガイド３３に沿って流動する排ワラに与える流動抵抗が小さくなる状態に屈曲（あるいは湾曲）させるようにしてもよい。この構成では、抵抗体３６によって、放出ガイド３３に沿って流動する排ワラのうち、上部側の流動域を流動するものほど、流速が低下し飛散距離が短くなる。つまり、排ワラの飛散を抑制することが望ましい道路脇などでの作業時において、放出ガイド３３で案内された排ワラが道路などに飛散する不都合をより効果的に抑制でき、又、排ワラを圃場内の既刈り側においてより広範囲に拡散させることができて、その後のすき込み作業の際に排ワラが障害になる虞をより効果的に抑制できる。
【００３８】
〔８〕図１０に示すように、抵抗体３６を放出ガイド３３に着脱可能に装備し、排ワラの飛散を抑制することが望ましい道路脇などでの作業時においては、その抵抗体３６を放出ガイド３３に装着することで、放出ガイド３３で案内された排ワラが道路などに飛散する不都合を抑制するようにしてもよい。
【００３９】
尚、図１０においては、抵抗体３６として、放出ガイド３３の案内経路３７を略全域にわたって遮る大きさのものを例示してある。
【００４０】
〔９〕放出ガイド３３としては、排ワラを既刈り側に案内する所定角度に固定装備されたものであってもよく、又、案内方向の設定切り換えが可能となるように構成されたものであってもよい。
【００４１】
〔１０〕細断装置８として、ディスク状の回転刃を複数備えて構成された所謂ディスクカッタを採用してもよい。
【図面の簡単な説明】
【００４２】
【図１】コンバインの全体側面図
【図２】コンバインの全体平面図
【図３】脱穀装置の構成を示す要部の縦断背面図
【図４】細断装置の構成を示す要部の縦断側面図
【図５】排ワラ放出構造を示す要部の背面図
【図６】放出ガイド及び抵抗体の形状を示す要部の斜視図
【図７】抵抗体の形状を示す要部の斜視図
【図８】上窄まり三角形状の抵抗体を備えた別実施例を示す要部の斜視図
【図９】上部側を屈曲させた抵抗体を備えた別実施例を示す要部の斜視図
【図１０】抵抗体を着脱可能に備えた別実施例を示す要部の斜視図
【符号の説明】
【００４３】
３２  放出口
３３  放出ガイド
３６  抵抗体
３７  案内経路
【図１】
2005095049.tif 000003
【図２】
2005095049.tif 000004
【図３】
2005095049.tif 000005
【図４】
2005095049.tif 000006
【図５】
2005095049.tif 000007
【図６】
2005095049.tif 000008
【図７】
2005095049.tif 000009
【図８】
2005095049.tif 000010
【図９】
2005095049.tif 000011
【図１０】
2005095049.tif 000012